(57)【特許請求の範囲】
【請求項１】
商品情報の入力に基づいてその商品の価格を加算して売上登録する商品販売データ処理装置において、
前記商品情報ごとに通常価格が記録され且つ割引または割増の有無が記録されたテーブルと、
前記入力される商品情報に対応する商品が通常価格のほかに割引価格または割増価格を持つか否かを前記テーブルの参照により判定する判定手段と、
この判定手段の判定結果が肯定の場合にその旨を報知する報知手段と、
前記報知手段の報知後、前記入力される商品情報に対応する商品の持ち帰りまたは配送を指定するためのキーと、
このキーが操作されて持ち帰りまたは配送が指定された場合に前記入力される商品情報に対応する商品の割引価格または割増価格を前記テーブルの参照により呼出す手段と、
前記キーが操作されないまま他の操作がなされた場合に前記入力される商品情報に対応する商品の通常価格を前記テーブルの参照により呼出す手段と、
前記呼出される価格を用いて前記売上登録を実行する実行手段と、
を具備したことを特徴とする商品販売データ処理装置。
【発明の詳細な説明】
【０００１】
【発明の属する技術分野】
この発明は、電子式キャッシュレジスタまたはＰＯＳ（販売時点情報管理）ターミナルと称される商品販売データ処理装置に関する。
【０００２】
【従来の技術】
商品の購入者が自身で商品を持帰る場合に、販売価格の値引サービスを行う商店がある。
【０００３】
このような商店では、持ち帰り値引の対象となる商品が予め決められていて、それを会計係いわゆるキャッシャが記憶し、商品の登録をする際にその登録商品が持ち帰り値引の対象かどうかをキャッシャが判断し、持ち帰り値引の対象であれば値引を考慮した割引価格の売上登録を行い、持ち帰り値引の対象でなければ値引のない通常価格の売上登録を行うシステムとなっている。
【０００４】
【発明が解決しようとする課題】
上記のような持ち帰り値引のサービスを行う商店では、持ち帰り値引の対象となる商品をキャッシャが十分に把握していなかったり、忘れてしまうことがある。お客さんが多くて忙しい状況では、値引するのを忘れて通常価格を売上登録してしまうこともある。購入客にとっては、せっかくのサービスを受けられない事態となる。
【０００５】
この発明は上記の事情を考慮したもので、その目的とするところは、商品の売上登録に際してその商品が通常価格のほかに例えば割引価格や割増価格など複数の価格を持つかどうかを的確に知らせることができ、これにより購入者に迷惑をかけることなく、キャッシャに負担をかけることもなく、常に適正な売上登録が可能な信頼性にすぐれた商品販売データ処理装置を提供することにある。
【０００６】
【課題を解決するための手段】
請求項１に係る発明の商品販売データ処理装置は、商品情報の入力に基づいてその商品の価格を加算して売上登録するものであって；上記商品情報ごとに通常価格が記録され且つ割引または割増の有無が記録されたテーブルと、上記入力される商品情報に対応する商品が通常価格のほかに割引価格または割増価格を持つか否かを上記テーブルの参照により判定する判定手段と；この判定手段の判定結果が肯定の場合にその旨を報知する報知手段と；上記報知手段の報知後、上記入力される商品情報に対応する商品の持ち帰りまたは配送を指定するためのキーと、このキーが操作されて持ち帰りまたは配送が指定された場合に上記入力される商品情報に対応する商品の割引価格または割増価格を前記テーブルの参照により呼出す手段と、上記キーが操作されないまま他の操作がなされた場合に上記入力される商品情報に対応する商品の通常価格を前記テーブルの参照により呼出す手段と、これら呼出される価格を用いて上記売上登録を実行する実行手段と；を備える。
【０００９】
【発明の実施の形態】
［１］以下、この発明の第１実施例について図面を参照して説明する。
図１はこの発明の商品販売データ処理装置たとえばＰＯＳ（Point Of Sales：販売時点情報管理）ターミナルの外観図である。
【００１０】
ＰＯＳターミナル１は、現金等を収容するためのドロワ２の上に載置されており、このドロワ２の引出し２ａの開閉を制御する。ＰＯＳターミナル１には、正面側にキーボード３とモードスイッチ４とが設けられているとともにオペレータ用ディスプレイ５が取り付けられており、背面側に客用ディスプレイ６が取り付けられている。また、レシート及びジャーナルを印字するＲ／Ｊプリンタ７が内蔵されており、このプリンタ７によって印字されたレシートがＰＯＳターミナル１の正面側に形成されたレシート発行口８から発行されるようになっている。またＰＯＳターミナル１には、商品登録手段として前記商品ラベルに印刷された２次元コードを読取るための２次元コードスキャナ９が接続されている。
【００１１】
前記キーボード３は、預かり金額などを置数するための置数キー、１商取引として販売登録された商品の合計出力を指示する小計キー、１商取引の代金を現金決済することを宣言する登録締め手段としての預／現計キー、置数データのクリアを指示するクリアキー等を配設したＰＯＳターミナル専用のキーボードであり、とくに割引価格の売上登録に際して操作するための持ち帰りキー３１を備える。
【００１２】
前記モードスッチ４は、「登録」，「点検」，「精算」，「設定」などの各種業務モードを選択するためのスイッチで、鍵にて操作される。因みに、「登録」とは、商品登録手段により販売登録された商品の売上データを記憶部に登録処理し、また登録締め手段により商品販売登録の終了が宣言された１取引の代金精算を処理してレシートを発行する業務のモードである。「点検」とは、記憶部に登録処理された各商品の売上データを集計しレポート出力する業務のモードである。「精算」とは、「点検」と同様に記憶部に登録処理された各商品の売上データを集計しレポート出力した後、記憶部の売上データをクリアする業務のモードである。「設定」とは、各種業務を実行する上で必要なデータを予め記憶部に設定するための業務である。
【００１３】
前記オペレータ用ディスプレイ５及び客用ディスプレイ６は、商品登録手段により販売登録された商品の品名，価格や、登録締め手段により商品販売登録の終了が宣言された１取引の合計金額，釣銭額などを表示する。
【００１４】
図２はＰＯＳターミナル１の制御回路の要部を示すブロック図である。
このＰＯＳターミナル１は、主制御部としてＣＰＵ（Central Processing Unit）１０を搭載している。また、このＣＰＵ１０が実行するプログラムなどの固定的データを記憶したＲＯＭ（Read Only Memory）１１、販売登録商品の売上データを登録処理する記憶部などが形成されるＲＡＭ（Random Access Memory）１２、 現在の日時を計時する時計回路１３、ＬＡＮ（Local Area Network）などの通信回線を通じて接続されるホスト装置（不図示）とのデータ通信を制御する通信インタフェース１４、前記モードスイッチ４からのモード選択信号を入力するとともに前記ドロワ２の引出し２ａを自動開放させるドロワ開放装置２ｂに駆動信号を出力し且つアラーム発生器３２に駆動信号を出力するＩ／Ｏ（Input/Output）ポート１５、前記キーボード３から操作キーに対応したキー信号を取込みＣＰＵ１０に通知するキーボードコントローラ１６、前記オペレータ用ディスプレイ５及び客用ディスプレイ６の表示部１７の駆動を制御しＣＰＵ１０から与えられる表示データに対応した文字等をカラー表示させる表示コントローラ１８、前記Ｒ／Ｊプリンタ７の駆動を制御しＣＰＵ１０から与えられる印字データをもとにレシート印字及びジャーナル印字を行わせるプリンタコントローラ１９、前記２次元コードスキャナ９で読取られた２次元コード信号を取込みＣＰＵ１０に知らせるスキャナコントローラ２０などを搭載している。
【００１５】
そして、前記ＣＰＵ１０と、ＲＯＭ１１，ＲＡＭ１２，時計部１３，通信インタフェース１４，Ｉ／Ｏポート１５及び各入出力機器のコントローラ１６〜２０とは、アドレスバス，データバスなどのバスライン２１で接続されている。
【００１６】
ＲＡＭ１２には、図３に示す商品テーブルおよび図４に示す割引価格テーブルが記憶されている。商品テーブルは“商品コード”“名称”“単価（＝通常価格）”“持ち帰り値引”の項目から成り、“持ち帰り値引”の項目には値引の有無および金額を表わす数値コードが記録される。数値コード“０”は値引無しを表わし、数値コード“１”〜“９”は値引有りを表わしている。割引価格テーブルには、数値コード“１”〜“９”と、これら数値コードに対応する割引価格（通常価格から値引額を予め減算した価格）とが記録される。
【００１７】
一方、ＣＰＵ１０は、主要な機能として次の（１）〜（４）の手段を備える。
【００１８】
（１）商品情報の入力に基づいてその商品が複数の価格たとえば通常価格と割引価格を持つか否かを上記商品テーブルの参照により判定する判定手段。
【００１９】
（２）上記判定手段の判定結果が肯定の場合にその旨を表示部１７によるガイダンス表示およびアラーム発生器３２によるアラーム音（警報音）発生にて報知する報知手段。
【００２０】
（３）上記判定手段の判定結果が肯定の場合に上記複数の価格（通常価格、割引価格）のいずれかをキーボード３の操作に応じて選択する選択手段。
【００２１】
（４）上記選択手段で選択された価格を用いて売上登録を実行する実行手段。
【００２２】
つぎに、上記の構成の作用を図５のフローチャートを参照して説明する。
【００２３】
商品がキャッシャのところに持ち込まれることにより、キャッシャによって商品情報たとえば商品コードが入力される（ステップ１０１のＹＥＳ）。この入力に基づき、対象の商品が通常価格のほかに持ち帰り値引を考慮した割引価格を持つか否かがＲＡＭ１２内の商品テーブルの参照により判定される（ステップ１０２）。
【００２４】
判定結果が否定、つまり商品が割引価格を持たない場合は（値引＝０；ステップ１０２のＹＥＳ）、ＲＡＭ１２内の商品テーブルから通常価格が呼出され（ステップ１０３）、その通常価格を用いた登録処理が実行される（ステップ１０４）。
【００２５】
登録処理の後、締めキー（預／現計キー）の押下が確認される（ステップ１０５）。押下がなければ（ステップ１０５のＮＯ）、次の商品コードの入力待ちとなる（ステップ１０１）。
【００２６】
次の商品コードが入力され（ステップ１０１のＹＥＳ）、かつ対象の商品が通常価格のほかに割引価格を持っていれば（ステップ１０２のＮＯ）、持ち帰り値引ガイダンスが表示部１７で表示されるとともに、アラーム音が発せられる（ステップ１０７）。
【００２７】
キャッシャは、値引ガイダンスの表示を見て、あるいはアラーム音を聞くことで、２番目の商品が割引価格を持っていることを察知し、購入者に商品を持ち帰るかどうかを口頭で確認する。
【００２８】
購入者が商品の持ち帰りを希望すると、キャッシャは持ち帰りキー３１を押下する（ステップ１０８のＹＥＳ）。この押下により、対象商品の割引価格つまり持ち帰り価格がＲＡＭ１２内の割引価格テーブルから呼出され（ステップ１０９）、その持ち帰り価格を用いた登録処理が実行される（ステップ１０４）。
【００２９】
持ち帰りキー３１の操作がないまま他の操作がなされると（ステップ１０８のＮＯ）、ＲＡＭ１２内の商品テーブルから通常価格が呼出され（ステップ１０３）、その通常価格を用いた登録処理が実行される（ステップ１０４）。
【００３０】
登録処理の後、締めキーの押下が確認される（ステップ１０５）。押下があれば（ステップ１０５のＹＥＳ）、締め処理が実行される（ステップ１０６）。
【００３１】
以上のように、商品の登録に際してその登録商品が通常価格のほかに割引価格を持つかどうかを判定し、割引価格を持つ場合はその旨をガイダンス表示とアラーム音で報知するようにしたので、キャッシャおよび購入客は登録商品に割引価格の設定があることを的確に知ることができる。
【００３２】
しかも、報知後、持ち帰りキー３１の押下があれば割引価格を選択して登録を行うので、持ち帰り値引の対象となる商品をキャッシャが十分に把握していない場合でも、あるいはお客さんが多くて忙しい状況でも、値引を忘れることなく常に適正な売上登録を行うことができる。
【００３３】
購入客にとっては、せっかくの値引サービスを確実に受けることができる。キャッシャにとっては、報知に従って適宜な操作を行うだけでよく、値引に関わる処理の負担が大幅に軽減される。
【００３４】
［２］この発明の第２実施例について説明する。
商品テーブルとして、図３の“持ち帰り値引”の項目を有するものに代わり、図９に示すように“持ち帰り値引額”の項目を有するものが採用される。“持ち帰り値引額”の項目には、値引の有無および金額が直接的に記録される。
この図９の商品テーブルの採用に伴い、図４の割引価格テーブルが不要となる。
他の構成は第１実施例と同じである。
【００３５】
つぎに、図６のフローチャートを参照しながら作用を説明する。
商品がキャッシャのところに持ち込まれることにより、キャッシャによって商品情報たとえばコードが入力される（ステップ１１１のＹＥＳ）。この入力に基づき、対象商品の通常価格がＲＡＭ１２内の商品テーブルから呼出されるとともに（ステップ１１２）、対象商品が通常価格のほかに持ち帰り値引を考慮した割引価格を持つか否かがＲＡＭ１２内の商品テーブルの参照により判定される（ステップ１１３）。
【００３６】
判定結果が否定、つまり商品が割引価格を持たない場合は（値引＝０；ステップ１１３のＹＥＳ）、上記呼出されている通常価格を用いた登録処理が実行される（ステップ１１４）。
【００３７】
登録処理の後、締めキーの押下が確認される（ステップ１１５）。押下がなければ（ステップ１１５のＮＯ）、次の商品コードの入力待ちとなる（ステップ１１１）。
【００３８】
次の商品コードが入力されると（ステップ１１１のＹＥＳ）、その対象商品の通常価格がＲＡＭ１２内の商品テーブルから呼出される（ステップ１１２）。そして、対象商品が通常価格のほかに割引価格を持っていれば（ステップ１１３のＮＯ）、持ち帰り値引ガイダンスが表示部１７で表示されるとともに、アラーム音が発せられる（ステップ１１７）。
【００３９】
この表示の様子を図７に示している。すなわち、１番目に登録される電池については通常価格のみが表示され、２番目に登録されるラジカセについては通常価格の横に“持ち帰り値引”という文字の値引ガイダンスが表示される。
【００４０】
キャッシャは、値引ガイダンスの表示を見て、あるいはアラーム音を聞くことで、２番目の商品が割引価格を持っていることを察知し、購入者に商品を持ち帰るかどうかを口頭で確認する。
【００４１】
購入者が商品の持ち帰りを希望すると、キャッシャは持ち帰りキー３１を押下する（ステップ１１８のＹＥＳ）。この押下により、対象商品の値引額がＲＡＭ１２内の商品テーブルから呼出され（ステップ１１９）、それが図７に示すように通常価格の下に表示されるとともに、同値引額を上記呼出されている通常価格から差し引く処理が実行される（ステップ１２０）。この処理によって割引価格つまり持ち帰り価格が求められ、その持ち帰り価格を用いた登録処理が実行される（ステップ１１４）。
【００４２】
この登録処理の後、締めキーの押下が確認される（ステップ１１５）。押下があれば（ステップ１１５のＹＥＳ）、締め処理が実行され（ステップ１１６）、図８に示すレシートが発行される。
【００４３】
持ち帰りキー３１の操作がないまま他の操作がなされた場合は（ステップ１１８のＮＯ）、通常価格を用いた登録処理が実行される（ステップ１１４）。
【００４４】
この第２実施例においても、第１実施例と同様の効果が得られる。
【００４５】
［３］この発明の第３実施例について説明する。
キーボード３において、持ち帰りキー３１が配送キーとして使用される。
【００４６】
さらに、商品テーブルとして、図３の“持ち帰り値引”の項目を有するものに代わり、図１０に示すように“配送加算”の項目を有するものが採用される。“配送加算”の項目には、加算の有無および金額を表わす数値コードが記録される。数値コード“０”は加算無しを表わし、数値コード“１”〜“９”は加算有りを表わしている。
【００４７】
また、図４の割引価格テーブルに換わり、図１１に示す割増価格テーブルが採用される。割増価格テーブルには、数値コード“１”〜“９”と、これら数値コードに対応する割増価格（通常価格に配送加算額を予め加えた価格）とが記録される。
【００４８】
一方、ＣＰＵ１０は、主要な機能として次の（１１）〜（１４）の手段を備える。
【００４９】
（１１）商品情報の入力に基づいてその商品が複数の価格たとえば通常価格と割増価格を持つか否かを上記商品テーブルの参照により判定する判定手段。
【００５０】
（１２）上記判定手段の判定結果が肯定の場合にその旨を表示部１７によるガイダンス表示およびアラーム発生器３２によるアラーム音（警報音）発生にて報知する報知手段。
【００５１】
（１３）上記判定手段の判定結果が肯定の場合に上記複数の価格（通常価格、割増価格）のいずれかをキーボード３の操作に応じて選択する選択手段。
【００５２】
（１４）上記選択手段で選択された価格を用いて売上登録を実行する実行手段。
【００５３】
他の構成は第１実施例と同じである。
【００５４】
つぎに、上記の構成の作用を図１２のフローチャートを参照して説明する。
【００５５】
商品がキャッシャのところに持ち込まれることにより、キャッシャによって商品情報たとえば商品コードが入力される（ステップ２０１のＹＥＳ）。この入力に基づき、対象の商品が通常価格のほかに配送加算を考慮した割増価格を持つか否かがＲＡＭ１２内の商品テーブルの参照により判定される（ステップ２０２）。
【００５６】
判定結果が否定、つまり商品が割増価格を持たない場合は（配送加算＝０；ステップ２０２のＹＥＳ）、ＲＡＭ１２内の商品テーブルから通常価格が呼出され（ステップ２０３）、その通常価格を用いた登録処理が実行される（ステップ２０４）。
【００５７】
登録処理の後、締めキーの押下が確認される（ステップ２０５）。押下がなければ（ステップ２０５のＮＯ）、次の商品コードの入力待ちとなる（ステップ２０１）。
【００５８】
次の商品コードが入力され（ステップ２０１のＹＥＳ）、かつ対象の商品が通常価格のほかに割増価格を持っていれば（ステップ２０２のＮＯ）、配送加算ガイダンスが表示部１７で表示されるとともに、アラーム音が発せられる（ステップ２０７）。
【００５９】
キャッシャは、配送加算ガイダンスの表示を見て、あるいはアラーム音を聞くことで、２番目の商品が割増価格を持っていることを察知し、購入者に商品の配送を希望するかどうかを口頭で確認する。
【００６０】
購入者が商品の配送を希望すると、キャッシャは配送キー３１を押下する（ステップ２０８のＹＥＳ）。この押下により、対象商品の割増価格つまり配送加算価格がＲＡＭ１２内の割増価格テーブルから呼出され（ステップ２０９）、その配送加算価格を用いた登録処理が実行される（ステップ２０４）。
【００６１】
配送キー３１の操作がないまま他の操作がなされると（ステップ２０８のＮＯ）、ＲＡＭ１２内の商品テーブルから通常価格が呼出され（ステップ２０３）、その通常価格を用いた登録処理が実行される（ステップ２０４）。
【００６２】
登録処理の後、締めキーの押下が確認される（ステップ２０５）。押下があれば（ステップ２０５のＹＥＳ）、締め処理が実行される（ステップ２０６）。
【００６３】
以上のように、商品の登録に際してその登録商品が通常価格のほかに割増価格を持つかどうかを判定し、割増価格を持つ場合はその旨をガイダンス表示とアラーム音で報知するようにしたので、キャッシャおよび購入客は登録商品に割増価格の設定があることを的確に知ることができる。
【００６４】
しかも、報知後、配送キー３１の押下があれば割増価格を選択して登録を行うので、配送加算の対象となる商品をキャッシャが十分に把握していない場合でも、あるいはお客さんが多くて忙しい状況でも、加算を忘れることなく常に適正な売上登録を行うことができる。
【００６５】
商店にとっては、配送にかかる費用を確実に徴収することができる。キャッシャにとっては、報知に従って適宜な操作を行うだけでよく、加算に関わる処理の負担が大幅に軽減される。
【００６６】
［４］この発明の第４実施例について説明する。
商品テーブルとして、図１０の“配送加算”の項目を有するものに代わり、図１６に示すように“配送加算額”の項目を有するものが採用される。“配送加算額”の項目には、配送加算の有無および金額が直接的に記録される。
この図１６の商品テーブルの採用に伴い、図１１の加算額テーブルが不要となる。
他の構成は第３実施例と同じである。
【００６７】
つぎに、図１３のフローチャートを参照しながら作用を説明する。
商品がキャッシャのところに持ち込まれることにより、キャッシャによって商品情報たとえばコードが入力される（ステップ２１１のＹＥＳ）。この入力に基づき、対象商品の通常価格がＲＡＭ１２内の商品テーブルから呼出されるとともに（ステップ２１２）、対象商品が通常価格のほかに配送加算を考慮した割増価格を持つか否かがＲＡＭ１２内の商品テーブルの参照により判定される（ステップ２１３）。
【００６８】
判定結果が否定、つまり商品が割増価格を持たない場合は（配送加算＝０；ステップ２１３のＹＥＳ）、上記呼出されている通常価格を用いた登録処理が実行される（ステップ２１４）。
【００６９】
登録処理の後、締めキーの押下が確認される（ステップ２１５）。押下がなければ（ステップ２１５のＮＯ）、次の商品コードの入力待ちとなる（ステップ２１１）。
【００７０】
次の商品コードが入力されると（ステップ２１１のＹＥＳ）、その対象商品の通常価格がＲＡＭ１２内の商品テーブルから呼出される（ステップ２１２）。そして、対象商品が通常価格のほかに割増価格を持っていれば（ステップ２１３のＮＯ）、持ち帰り値引ガイダンスが表示部１７で表示されるとともに、アラーム音が発せられる（ステップ２１７）。
【００７１】
この表示の様子を図１４に示している。すなわち、１番目に登録される電池については通常価格のみが表示され、２番目に登録されるラジカセについては通常価格の横に“配送加算”という文字の配送加算ガイダンスが表示される。
【００７２】
キャッシャは、配送加算ガイダンスの表示を見て、あるいはアラーム音を聞くことで、２番目の商品が割増価格を持っていることを察知し、購入者に商品の配送を希望するかどうかを口頭で確認する。
【００７３】
購入者が商品の配送を希望すると、キャッシャは配送キー３１を押下する（ステップ２１８のＹＥＳ）。この押下により、対象商品の配送加算額がＲＡＭ１２内の商品テーブルから呼出され（ステップ２１９）、それが図１４に示すように通常価格の下に表示されるとともに、同配送加算額を上記呼出されている通常価格に加える処理が実行される（ステップ２２０）。この処理によって割増価格つまり配送加算価格が求められ、その配送加算価格を用いた登録処理が実行される（ステップ２１４）。
【００７４】
この登録処理の後、締めキーの押下が確認される（ステップ２１５）。押下があれば（ステップ２１５のＹＥＳ）、締め処理が実行され（ステップ２１６）、図１５に示すレシートが発行される。
【００７５】
配送キー３１の操作がないまま他の操作がなされた場合は（ステップ２１８のＮＯ）、通常価格を用いた登録処理が実行される（ステップ２１４）。
【００７６】
この第４実施例においても、第３実施例と同様の効果が得られる。
【００７７】
［５］なお、第１・第２実施例の持ち帰り値引きを考慮した割引価格の処理と、第３・第４実施例の配送加算を考慮した割増価格の処理とを組合せて実施する構成とすることももちろん可能である。
その他、この発明は上記各実施例に限定されるものではなく、要旨を変えない範囲で種々変形実施可能である。
【００７８】
【発明の効果】
以上述べたようにこの発明によれば、商品の売上げ登録に際してその商品が通常価格のほかに例えば割引価格や割増価格など複数の価格を持つかどうかを的確に知らせることができ、これにより購入者に迷惑をかけることなく、キャッシャに負担をかけることもなく、常に適正な売上登録が可能な信頼性にすぐれた商品販売データ処理装置を提供できる。
【図面の簡単な説明】
【図１】各実施例の外観斜視図。
【図２】各実施例の制御回路の要部を示すブロック図。
【図３】第１実施例における商品テーブルのフォーマットを示す図。
【図４】第１実施例における割引価格テーブルのフォーマットを示す図。
【図５】第１実施例の作用を説明するためのフローチャート。
【図６】第２実施例の作用を説明するためのフローチャート。
【図７】第２実施例における表示の一例を示す図。
【図８】第２実施例における発行レシートの一例を示す図。
【図９】第２実施例における商品テーブルのフォーマットを示す図。
【図１０】第３実施例における商品テーブルのフォーマットを示す図。
【図１１】第３実施例における割増価格テーブルのフォーマットを示す図。
【図１２】第３実施例の作用を説明するためのフローチャート。
【図１３】第４実施例の作用を説明するためのフローチャート。
【図１４】第４実施例における表示の一例を示す図。
【図１５】第４実施例における発行レシートの一例を示す図。
【図１６】第４実施例における商品テーブルのフォーマットを示す図。
【符号の説明】
１…ＰＯＳターミナル
２…ドロワ
３…キーボード
５…オペレータ用ディスプレイ
６…客用ディスプレイ
７…Ｒ／Ｊプリンタ
８…レシート発行口
９…２次元コードスキャナ
３１…持ち帰りキー（または配送キー）
１０…ＣＰＵ
１１…ＲＯＭ
１２…ＲＡＭ
【図１】
0003816692.tif 000002
【図２】
0003816692.tif 000003
【図３】
0003816692.tif 000004
【図４】
0003816692.tif 000005
【図５】
0003816692.tif 000006
【図６】
0003816692.tif 000007
【図７】
0003816692.tif 000008
【図８】
0003816692.tif 000009
【図９】
0003816692.tif 000010
【図１０】
0003816692.tif 000011
【図１１】
0003816692.tif 000012
【図１２】
0003816692.tif 000013
【図１３】
0003816692.tif 000014
【図１４】
0003816692.tif 000015
【図１５】
0003816692.tif 000016
【図１６】
0003816692.tif 000017